(57)【要約】【課題】  望遠鏡及び拡大鏡としての機能をさせることが可能なメガホンを提供する。【解決手段】  本メガホンは、メガホン本体（１０）の側面部に平坦部（１５）を形成し、平坦部（１５）の前後位置に、凸レンズ（２２）を有する対物部（２０）と凹レンズ（３２）を有する接眼部（３０）を折り畳み可能に取り付けた構造とする。【選択図】    図１
0003168553.tif 000002
【実用新案登録請求の範囲】
【請求項１】
メガホン本体の側面部に平坦部を形成し、
前記平坦部の前後位置に、凸レンズを有する対物部と凹レンズを有する接眼部を折り畳み可能に取り付けた構造としたことを特徴とするメガホン。
【請求項２】
前記対物部と前記接眼部に形成した脚部を、前記平坦部上に形成した軸支突起に回動可能に軸支した構造としたことを特徴とする請求項１に記載のメガホン。
【請求項３】
メガホン本体を、互いに伸長収縮可能な本体前部と本体後部に分けて形成し、
前記本体後部の側面部に平坦部を形成し、
前記平坦部に、基台上に凸レンズを有する対物部と凹レンズを有する接眼部を折り畳み可能に取り付けた光学ユニットを取り外し可能に取り付ける構造としたことを特徴とするメガホン。
【請求項４】
前記光学ユニットの基台又は前記平坦部の一方に磁石板を設け、前記光学ユニットの基台又は前記平坦部の他方に前記磁石板に吸着する部材を設け、前記磁石板と部材との吸着を利用して、前記光学ユニットを前記平坦部に取り付ける構造としたことを特徴とする請求項３に記載のメガホン。
【請求項５】
前記光学ユニットの基台又は前記平坦部の一方に楔型の突起部を形成し、前記光学ユニットの基台又は前記平坦部の他方に前記突起部が嵌まる溝部を形成し、前記突起部を前記溝部に嵌めることで、前記光学ユニットを前記平坦部に取り付ける構造としたことを特徴とする請求項３に記載のメガホン。
【考案の詳細な説明】
【技術分野】
【０００１】
本考案は、スポーツの応援、演説、抗議行動、集会等において声を増幅するために用いられる器具であるメガホンに関し、特に、望遠鏡および拡大鏡としての機能を併せ持つメガホンに関する。
【背景技術】
【０００２】
従来、スポーツ観戦における応援、演説、抗議行動、集会などで声を増幅するのに用いられるメガホンは、プラスチック等の材質からなる円錐型の筒からできており、発声の際に細い側の開口部を口に当てて使用する。メガホンを使用することにより、声の指向性が増強され、声が遠くへ伝わりやすくなる。
【０００３】
従来のメガホンとしては、メガホンとしての機能の他に望遠鏡の機能を持たせたもの（メガホン望遠鏡）が、例えば、特許文献１で提案されている。
このメガホン望遠鏡は、円錐状のメガホンの内部に支柱で隙間を開けて対物レンズを配置し、かつ細い側の開口部に、同様に支柱で隙間を設けた接眼部を配置した構造であり、接眼部側から発声することでメガホンとして使用できると共に、接眼部から覗くことで望遠鏡として使用できるようになっている。
【先行技術文献】
【特許文献】
【０００４】
【特許文献１】特開平９−３１８８８６号公報
【考案の概要】
【考案が解決しようとする課題】
【０００５】
上述した特許文献１に記載されるメガホン望遠鏡においては、筒の内部に対物レンズと接眼レンズを配した構造であるので、声が籠ってしまい、声を増幅するというメガホン本来の機能が損なわれてしまうという欠点がある。
筒内部に設けた対物レンズが声を発するに飛び散る唾液で汚れてしまい、メンテナンスが面倒である。
（考案の目的）
本考案は、上述した従来の課題を解決するためになされたものであり、声を増幅するのに使用することができると共に、望遠鏡あるいは拡大鏡としても使用することができるメガホンを提供することを目的とする。
【課題を解決するための手段】
【０００６】
上記の目的を達成する本考案のメガホンは、メガホン本体の側面部に平坦部を形成し、前記平坦部の前後位置に、凸レンズを有する対物部と凹レンズを有する接眼部を折り畳み可能に取り付けた構造とする。
【０００７】
好ましくは、前記対物部と前記接眼部に形成した脚部を、前記平坦部上に形成した軸支突起に回動可能に軸支した構造とする。
【考案の効果】
【０００８】
以上説明したように本考案によれば、声を増幅するのに使用することができると共に、望遠鏡あるいは拡大鏡としても使用することができるメガホンを実現できる。
【０００９】
また、声が籠ってしまい、声を増幅するというメガホン本来の機能が損なわれてしまうということも無い。さらに、レンズが声を発する際に飛び散る唾液で汚れてしまうことも無いので、メンテナンスが容易である。
【図面の簡単な説明】
【００１０】
【図１】本考案の第１の実施の形態によるメガホンの側面図である。
【図２】本考案の第１の実施の形態によるメガホンの側面図である。
【図３】本考案の第１の実施の形態によるメガホンの上面図である。
【図４】本考案の第１の実施の形態によるメガホンを後端側から見た図である。
【図５】本考案の第１の実施の形態によるメガホンを拡大鏡として機能させた状態を示す図である。
【図６】本考案の第２の実施の形態によるメガホンを拡大鏡として機能させた状態を示す図である。
【図７】本考案の第２の実施の形態によるメガホンを拡大鏡として機能させた状態を示す図である。
【図８】本考案の第２の実施の形態によるメガホンを拡大鏡として機能させた状態を示す図である。
【図９】本考案の第３の実施の形態によるメガホンを拡大鏡として機能させた状態を示す図である。
【考案を実施するための形態】
【００１１】
以下、本考案の実施の形態について図面を参照して詳細に説明する。
【００１２】
（第１の実施の形態の構成）
本考案の第１の実施の形態によるメガホンの望遠鏡の機能を使用する状態の側面図を示す図１において、本実施の形態によるメガホンは、メガホン本体１０と、対物部２０と、接眼部３０を備えて構成される。
【００１３】
メガホン本体１０は、例えば合成樹脂等によって先端の径が大きく後端側の径を小さくした円錐状に形成されており、その側面部に、図１、図３に示すような平坦部１５を形成した形状となっている。
【００１４】
そして、メガホン本体１０の平坦部１５上に、対物部２０と、接眼部３０がそれぞれ折り畳み可能に取り付けられている。
【００１５】
対物部２０は、対物枠２１内に凸レンズ２２を配した構造であり、対物枠２１の脚部２５の部分が、平坦部１５上の軸支突起部１６に軸４０によって回動可能に軸支されている。
これにより、対物部２０は、平坦部１５上で図１に示すように起立させることができ、また、図２に示すように平坦部１５上に折り畳んで寝かせることができる。
【００１６】
また、接眼部３０は、接眼枠３１内に凹レンズ３２を配した構造であり、接眼枠３１の脚部３５の部分が、平坦部１５上の軸支突起部１７に軸５０によって回動可能に軸支されている。
これにより、対物部２０と同様に、対物部２０は、平坦部１５上で図１に示すように起立させることができ、また、図２に示すように平坦部１５上に折り畳んで寝かせることができる。
【００１７】
対物部２０は、対物部３０を起立させた場合に、その脚部２５が平坦部１５前方の壁面部６０に当接することで起立させた状態が保持できるようになっている。
【００１８】
また、接眼部３０の脚部３２の下端は、図２に示すように、直角部と円弧部を有する形状に形成してあり、接眼部２０を起立させた場合に、その脚部３５下端の直角部が平坦部１５の上面に当接することで起立させた状態が保持できるようになっている。
【００１９】
なお、対物部２０と接眼部３０の間隔は、対物レンズ２２と接眼レンズ３２によって形成される望遠鏡のピントが合うように定められている。
【００２０】
（第１の実施の形態の動作）
次に、上記のように構成されるメガホンの動作について説明する。
【００２１】
メガホン本来の機能のみを使用する場合には、図２に示すように、対物部２０と接眼部３０を平坦部１５上に倒した状態で、後端の開口部から発声する。
メガホンを望遠鏡として機能させる場合には、図１に示すように、対物部２０と接眼部３０を起立させた状態で、接眼部３０側から覗くことで、所定倍率で拡大して景色を観ることができる。なお、望遠鏡として機能させる際の倍率については、対物部２０の凸レンズ２２の焦点距離と接眼部３０の凹レンズ３２の焦点距離を変えて選択することで所望の倍率とすることが可能である。
なお、対物部２０と接眼部３０を起立させたままでも、後端の開口部から発声することでメガホンとして使用することも可能である。
【００２２】
メガホンを拡大鏡として機能させる場合には、図５に示すように、対物部２０のみを起立させた状態とすれば、対物部２０の凸レンズ２２を拡大鏡として使用することが可能である。例えば、対物部２０のみを起立させてメガホンの先端部を机上等に載置した状態で使用する。
【００２３】
（第２の実施の形態の構成）
図６から図８に、本考案の第２の実施の形態によるメガホンを示す。本実施の形態によるメガホンにおいては、メガホン本体１０が本体前部１０ａと本体後部１０ｂによって伸長収縮可能に構成されている。
【００２４】
メガホンとして使用する場合には、図６、図７に示すように、本体前部１０ａと本体後部１０ｂを互いに伸長させて使用する。また、保管又は携帯する場合には、図８に示すように、本体後部１０ｂを本体前部１０ａ内に収納して全体を収縮させる。
【００２５】
本体後部１０ｂ上には、第１の実施の形態と同様に平坦部１５が形成され、その一部に、面一となるように磁石板７０が埋め込まれている。
【００２６】
また、本実施の形態においては、板状の基台９０上に、対物部２０と接眼部３０を第１の実施の形態と同様の構造で取り付けることで、光学ユニット８０を備える。光学ユニット８０は、基台９０上に軸支突起部１６と軸支突起部１７を設け、軸支突起部１６に対物部２０の脚部２５を軸４０で回動可能に軸支し、軸支突起部１７に接眼部３０の脚部３５を軸５０によって回動可能に軸支することで構成されている。
【００２７】
光学ユニット８０の基台９０は、少なくとも磁石板７０に対向する裏面部分が磁石に吸着する部材（例えば、金属版等）で形成されており、図６に示すように、基台９０を平坦部１５上に位置合わせして載置すると、基台９０が磁石板７０の磁力によって吸着し、光学ユニット８０が本体後部１０ｂの平坦部１５に取り付けられる。これにより、第１の実施の形態において述べたと同様に使用することが可能である。なお、基部９０側に磁石板を設け、平坦部１５側に磁石に吸着する金属版等を設けた構造でもよい。
【００２８】
さらに、本実施の形態では、メガホンを使用しない場合には、光学ユニット８０を本体後部１０ｂの平坦部１５から取り外し、さらに、メガホン本体１０を上記のように収縮させる。これにより、収縮させて長さが短くなったメガホン本体１０と、取り外した光学ユニット８０に分けることができるので、バッグ等に収納して持ち運ぶ際に便利である。
【００２９】
また、メガホン本体１０から取り外した光学ユニット８０は、単体でルーペ又は望遠鏡として使用することが可能である。
【００３０】
（第３の実施の形態の構成）
図９は、本考案の第３の実施の形態によるメガホンを示す。上記第２の実施の形態では、光学ユニット８０の基台９０を磁石によって本体後部１０ｂの平坦部１５に取り付ける構造を示したが、本実施の形態では、光学ユニット８０の基台９０の裏面に楔型の突起部１１０を形成し、本体後部１０ｂの平坦部１５には突起部１１０が嵌まる形状の溝部１００と突起部１１０を形成した構成としている。
【００３１】
上記のような構造により、基部９０裏面の突起部１１０を平坦部１５の溝部１００にスライドさせて嵌め、又は外すことにより、光学ユニット８０の取り付けと取り外しを行うことが可能である。なお、基部９０側に溝部を設け、平坦部１５側に突起部を形成する構造でもよい。
【００３２】
なお、本考案は上述した実施の形態に限定されるものではなく、その技術思想の範囲内において様々に変形して実施することができる。
例えば、メガホン本体１０を円柱状とした場合を説明したが、それ以外に角柱状に形成することも可能である。また、対物部２０の対物枠２１と接眼部３０の接眼枠３１を円形状に形成した場合を説明したが、対物枠２１と接眼枠３１を四角形等の他の形状とすることも可能である。
【符号の説明】
【００３３】
１０：メガホン本体
１０ａ：本体前部
１０ｂ：本体後部
１５：平坦部
１６、１７：軸支突起
２０：対物部
２１：対物枠
２２：凸レンズ
２５：脚部
３０：接眼部
３１：接眼枠
３２：凹レンズ
４０、５０：軸
６０：壁面部
７０：磁石板
８０：光学ユニット
９０：基部
１００：溝部
１１０：突起部
【図１】
0003168553.tif 000003
【図２】
0003168553.tif 000004
【図３】
0003168553.tif 000005
【図４】
0003168553.tif 000006
【図５】
0003168553.tif 000007
【図６】
0003168553.tif 000008
【図７】
0003168553.tif 000009
【図８】
0003168553.tif 000010
【図９】
0003168553.tif 000011